(57)【要約】      （修正有）【課題】商品の在庫に関する問題を解決すると共に、消費者の購買意欲を十分に喚起することができ、製造業者の販売要求に十分応えることのできる販売方法を実現可能な商品カードを提供する。【解決手段】店舗において販売される実際の商品の代わりに陳列される商品カード１であって、実際の商品の外観に関する情報を示す商品外観情報と、実際の商品を特定するための商品特定情報４と、実際の商品に関する詳細情報にアクセスするための商品アクセス情報５とを備えている。【選択図】図２
2008268825.tif 000002
【特許請求の範囲】
【請求項１】
店舗において販売される実際の商品の代わりに陳列される商品カードであって、
前記実際の商品の外観に関する情報を示す商品外観情報と、前記実際の商品を特定するための商品特定情報と、前記実際の商品に関する詳細情報にアクセスするための商品アクセス情報とを備えていることを特徴とする商品カード。
【請求項２】
前記商品外観情報は写真であり、前記商品特定情報は前記実際の商品の型番であり、前記商品アクセス情報はＱＲコードである請求項１に記載の商品カード。
【請求項３】
前記実際の商品はプラモデル(登録商標)であり、前記商品外観情報は、該プラモデル(登録商標)の基になった実物の写真である請求項１又は２に記載の商品カード。
【請求項４】
前記実際の商品に関する詳細情報は、前記実際の商品の販売価格、注文方法を含んでいる請求項１〜３のいずれか１の請求項に記載の商品カード。
【発明の詳細な説明】
【技術分野】
【０００１】
本発明は、店舗において販売される実際の商品の代わりに陳列される商品カードに関する。
【背景技術】
【０００２】
従来、プラモデル(登録商標)等の模型玩具やダイニングテーブル等の家具等を販売する店舗では、実際の商品を商品棚に陳列して販売行為を行うのが通常である（公知・公用の従来技術に基づき発明したため、出願人は本発明に関連する先行技術文献を知らない）。
【発明の開示】
【発明が解決しようとする課題】
【０００３】
しかしながら、上記した従来の販売方法では、実際の商品を店舗に在庫として抱える必要があるため、商品の在庫管理が煩雑となる上、商品の保管スペースを確保する必要が生じるといった問題があった。
【０００４】
また、上記したような商品の在庫に関する問題の発生に伴い、商品の品揃えが限定され、消費者の購買意欲を十分に喚起することができない一方、製造業者の販売要求に十分応えることができないといった問題もあった。
【０００５】
本発明は、上記した課題を解決すべくなされたものであり、商品の在庫に関する問題を解決すると共に、消費者の購買意欲を十分に喚起することができ、製造業者の販売要求に十分応えることのできる販売方法を実現可能な商品カードを提供することを目的とするものである。
【課題を解決するための手段】
【０００６】
本発明は、店舗において販売される実際の商品の代わりに陳列される商品カードであって、前記実際の商品の外観に関する情報を示す商品外観情報と、前記実際の商品を特定するための商品特定情報と、前記実際の商品に関する詳細情報にアクセスするための商品アクセス情報とを備えていることを特徴とする。
【０００７】
そして、前記商品外観情報は写真であり、前記商品特定情報は前記実際の商品の型番であり、前記商品アクセス情報はＱＲコードであるのがよい。
【０００８】
また、前記実際の商品はプラモデル(登録商標)であり、前記商品外観情報は、該プラモデル(登録商標)の基になった実物の写真であってもよい。
【０００９】
さらに、前記実際の商品に関する詳細情報は、前記実際の商品の販売価格、注文方法を含んでいてもよい。
【発明の効果】
【００１０】
本発明によれば、店舗に商品の在庫を抱えることなく多種類の商品を販売することができる。したがって、販売者は商品の在庫管理や商品の保管スペースが不要となり、効率よく商品を販売することができる。
【００１１】
また、商品の品揃えを充実させることができると共に、消費者が所望な場所及び時間に商品の詳細情報を簡単に入手することができるようになるため、消費者の購買意欲を十分に喚起することができると共に、製造業者の販売要求に十分応えることができる等、種々の優れた効果を得ることができる。
【発明を実施するための最良の形態】
【００１２】
以下、図１〜図４を参照しつつ、本発明の実施の形態について説明する。ここで、図１は本発明の実施の形態に係る商品カードの表面側を示す平面図、図２は同商品カードの裏面側を示す平面図、図３は同商品カードを商品棚に陳列した状態を示す正面図、図４は図３のＡ−Ａ矢視図である。
【００１３】
本発明の実施の形態に係る商品カード１は、名刺形状を成し、実際の商品（図１では鉄道模型のプラモデル(登録商標)）２の外観に関する情報を示す商品外観情報３と、この商品２を特定するための商品特定情報４と、この商品に関する詳細情報にアクセスするための商品アクセス情報５とを備えて構成されている。
【００１４】
商品外観情報３が示す商品２の外観に関する情報とは、実際の商品の外観の写真（例えば、図１のように実際の商品が鉄道模型のプラモデル(登録商標)の場合の該プラモデル(登録商標)の完成品の外観の写真）の他、実際の商品の基になった実物の写真（例えば、図１のように実際の商品が鉄道模型のプラモデル(登録商標)の場合の該プラモデルの基になった鉄道車両の外観の写真）、或いは絵や図等であってもよく、この場合、商品外観情報３は商品カード１の表面側に表示されている。
【００１５】
また、商品特定情報４としては、商品２の型番７の他、製造会社の名称８、製造番号等であってもよいが、商品２を特定するのに必要最小限の情報に限定するのが好ましい。さらに、商品アクセス情報５としては、ＱＲコード（登録商標）９の他、バーコードやＵＲＬ等であってもよい。そして、この場合、商品特定情報４及び商品アクセス情報５は商品カード１の裏面側に表示されている。
【００１６】
このような構成を備えた商品カード１は、図３及び図４に示されているように、店舗において販売される実際の商品２の代わりに商品棚１０に陳列され、消費者は関心のある商品２の商品カード１を商品棚１０より自由に取り出すことができる。
【００１７】
そして、消費者が携帯電話（図示省略）を使用して商品カード１のＱＲコード９を読み取ると、携帯電話には、商品２に関する詳細情報が表示される。この商品２に関する詳細情報としては、例えば、その店舗における商品２の販売価格、動画、注文方法（電話注文、インタネット注文等）等が含まれる。この時、商品２に関する詳細情報が表示される画面に、広告が表示されるようにしたり、或いは、その詳細情報の画面から直接、購入を希望する商品２を注文し、決済できるようにしたりしてもよい。
【００１８】
そして、商品２に関する詳細情報を携帯電話で取得した消費者から商品２が注文されると、販売者は商品２を製造業者に発注し、消費者にその商品２を代金と引き換えで店頭で手渡したり或いは配送したりすることによってその商品２の販売手続きを完了する。
【００１９】
また、携帯電話で決済するシステムを導入した場合には、商品が販売された時点で商品を販売する会社が決済を行い、該会社から商品カード１を陳列する店舗に対して手数料を支払ったり、或いは、商品カード１を陳列する店舗が決済を行い、該店舗から商品を販売する会社に対して手数料を払ったりしてもよい。
【００２０】
このように上記した実施の形態に係る商品カードによれば、店舗に商品２の在庫を抱えることなく多種類の商品２を販売することができる。したがって、販売者は商品２の在庫管理や商品２の保管スペースが不要となり、効率よく商品２を販売することができると共に、商品知識の乏しい商品を販売することもできるようになる。また、商品２の品揃えを充実させることができると共に、消費者が所望な場所及び時間に商品２の詳細情報を簡単に入手することができるようになるため、消費者の購買意欲を十分に喚起することができると共に、製造業者の販売要求に十分応えることができる。
【００２１】
さらに、商品２の外観に関する情報として、実際の商品の基になった実物の写真（例えば、図１のように実際の商品が鉄道模型のプラモデル(登録商標)の場合の該プラモデルの基になった鉄道車両の外観の写真）を、商品外観情報３に掲載することにより、未発売の商品の予約注文を取ることも可能となり、商品の販売促進を図ることが容易となる。
【００２２】
さらにまた、商品２を特定するのに必要最小限の情報だけを商品特定情報４として商品カード１に表示することにより、商品アクセス情報５を使用して商品２に関する詳細情報へアクセスする消費者数が増加し、商品２の注文、発注、発送、決済や、広告を効率的且つ円滑に行うことができるようになる。
【００２３】
さらに、商品２の販売価格を商品カード２に表示せずに商品２に関する詳細情報に表示することにより、同一のカードを異なる店舗で使用し、店舗毎に販売価格を簡単に変更することが可能となり、近年、インターネット上で行われているアフィリエイト(登録商標)のシステムを実際の店舗で実施することができるようになる等、フレキシブル性のあるシステムを提供することができる。
【００２４】
さらに、商品カード２の残り枚数を計測したり、サイトのアクセス解析を行ったりすることによりその商品の潜在的な購買者がどのくらい存在するかを簡単に把握することができるため、新商品や未知の商品を販売するに際し、販売数や販売場所の予想を立て易くなる。
【００２５】
なお、本発明に係る商品カードは、上記したプラモデル(登録商標)の他、各種商品の販売に使用可能であるが、特に、ペット、釣具やゴルフ用具等の趣味嗜好品、家具等の組み立て式の商品、花や生鮮食品等の寿命の短い商品、指輪や貴金属等の高価な商品、パソコン、家電、絵画や車等のサイズの大きな商品、住宅や土地等の不動産、海外から輸入しないと入手できない輸入商品等に使用するのが好適である。
【図面の簡単な説明】
【００２６】
【図１】本発明の実施の形態に係る商品カードの表面側を示す平面図である。
【図２】本発明の実施の形態に係る商品カードの裏面側を示す平面図である。
【図３】本発明の実施の形態に係る商品カードを商品棚に陳列した状態を示す正面図である。
【図４】図３のＡ−Ａ矢視図である。
【符号の説明】
【００２７】
１          商品カード
２          商品
３          商品外観情報
４          商品特定情報
５          商品アクセス情報
６          写真
７          型番
９          ＱＲコード
【図１】
2008268825.tif 000003
【図２】
2008268825.tif 000004
【図３】
2008268825.tif 000005
【図４】
2008268825.tif 000006